【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
基板上に配された複数の画素を備え、前記複数の画素の少なくとも一つが、互いに隣り合って配置され且つ互いに異なる色の光を発生する第１の副画素、第２の副画素および第３の副画素を含み、前記第１の副画素、前記第２の副画素および前記第３の副画素は発光層を含む有機化合物層を備える、表示装置であって、
前記画素において、所定輝度の白色光を発生させる場合の該画素の前記第１の副画素、前記第２の副画素および前記第３の副画素の駆動電流量をそれぞれＩ１、Ｉ２およびＩ３として、Ｉ１＞Ｉ２＞Ｉ３であるとき、
前記第１の副画素と前記第３の副画素との間の電流リークが前記第２の副画素と前記第３の副画素との間の電流リークよりも制限されている
ことを特徴とする表示装置。
【請求項２】
前記所定輝度は、１［ｃｄ／ｍ２］以上かつ５［ｃｄ／ｍ２］以下である
ことを特徴とする請求項１に記載の表示装置。
【請求項３】
前記第１の副画素と前記第２の副画素との間の電流リークが前記第２の副画素と前記第３の副画素との間の電流リークよりも制限されている
ことを特徴とする請求項１または請求項２に記載の表示装置。
【請求項４】
前記第１の副画素、前記第２の副画素および前記第３の副画素のそれぞれは、前記基板と前記有機化合物層との間に配置されている下部電極を有し、
前記有機化合物層は、前記第１の副画素、前記第２の副画素および前記第３の副画素の前記下部電極にまたがって配置されている
ことを特徴とする請求項１から請求項３のいずれか１項に記載の表示装置。
【請求項５】
前記有機化合物層は、複数の層が積層されて成り、
前記複数の層のうちの下層側の少なくとも一部は、前記第１の副画素の前記下部電極と前記第３の副画素の前記下部電極との間における電気抵抗が、前記第２の副画素の前記下部電極と前記第３の副画素の前記下部電極との間における電気抵抗よりも大きくなるように、形成された
ことを特徴とする請求項４に記載の表示装置。
【請求項６】
前記下層側の少なくとも一部は、前記第１の副画素の前記下部電極と前記第３の副画素の前記下部電極との間において、薄膜化され又は分断されている
ことを特徴とする請求項５に記載の表示装置。
【請求項７】
前記基板の上面には、前記第１の副画素の前記下部電極と前記第３の副画素の前記下部電極との間において、溝部が設けられており、
前記有機化合物層は前記溝部内を埋めるように設けられている
ことを特徴とする請求項６に記載の表示装置。
【請求項８】
前記第１の副画素、前記第２の副画素および前記第３の副画素のそれぞれの前記下部電極の平面視における周縁部を取り囲むように設けられた絶縁部材を更に備えており、
前記絶縁部材は、
前記第１の副画素に対応する前記下部電極と前記第３の副画素に対応する前記下部電極との間に位置する第１部分と、
前記第１部分以外の部分である第２部分と、
を含み、
前記第１部分は、前記基板から離れるほど水平方向の幅が大きくなるように設けられ、かつ、前記第２部分は、前記基板から離れるほど水平方向の幅が小さくなるように設けられ、
前記有機化合物層は、前記第１の副画素、前記第２の副画素および前記第３の副画素の前記下部電極を覆うと共に前記絶縁部材の前記第１部分および前記第２部分を覆うように、前記基板上面に沿って延設されている
ことを特徴とする請求項６に記載の表示装置。
【請求項９】
前記下層側の少なくとも一部は、正孔注入層、正孔輸送層および電子阻止層の少なくとも１つを含む
ことを特徴とする請求項５から請求項８のいずれか１項に記載の表示装置。
【請求項１０】
前記下層側の少なくとも一部は、電子注入層、電子輸送層および正孔阻止層の少なくとも１つを含む
ことを特徴とする請求項５から請求項８のいずれか１項に記載の表示装置。
【請求項１１】
前記有機化合物層を覆うように、前記第１の副画素、前記第２の副画素および前記第３の副画素の前記下部電極の上方において前記基板上面に沿って延設された上部電極を更に備える
ことを特徴とする請求項５から請求項１０のいずれか１項に記載の表示装置。
【請求項１２】
基板上に配された複数の画素を備え、前記複数の画素の少なくとも一つが、互いに隣り合って配置され且つ互いに異なる色の光を発生する第１の副画素、第２の副画素および第３の副画素を含み、前記第１の副画素、前記第２の副画素および前記第３の副画素は発光層を含む有機化合物層を備える、表示装置であって、
前記画素において、所定輝度の白色光を発生させる場合の該画素の前記第１の副画素、前記第２の副画素および前記第３の副画素の駆動電流量をそれぞれＩ１、Ｉ２およびＩ３として、Ｉ１＞Ｉ２＞Ｉ３であるとき、
前記基板の上面には、前記第１の副画素の下部電極と前記第３の副画素の下部電極との間において、溝部が設けられており、
前記基板の上面には、前記第１の副画素の前記下部電極と前記第３の副画素の前記下部電極との間において、溝部が設けられていない、
ことを特徴とする表示装置。
【請求項１３】
基板上に配された複数の画素を備え、前記複数の画素の少なくとも一つが、互いに隣り合って配置され且つ互いに異なる色の光を発生する第１の副画素、第２の副画素および第３の副画素を含み、前記第１の副画素、前記第２の副画素および前記第３の副画素は発光層を含む有機化合物層を備える、表示装置であって、
前記画素において、所定輝度の白色光を発生させる場合の該画素の前記第１の副画素、前記第２の副画素および前記第３の副画素の駆動電流量をそれぞれＩ１、Ｉ２およびＩ３として、Ｉ１＞Ｉ２＞Ｉ３であるとき、
前記第１の副画素、前記第２の副画素および前記第３の副画素のそれぞれの下部電極の平面視における周縁部を取り囲むように設けられた絶縁部材を更に備えており、
前記絶縁部材は、
前記第１の副画素に対応する前記下部電極と前記第３の副画素に対応する前記下部電極との間に位置する第１部分と、
前記第１部分以外の部分である第２部分と、
を含み、
前記第１部分は、前記基板から離れるほど水平方向の幅が大きくなるように設けられ、かつ、前記第２部分は、前記基板から離れるほど水平方向の幅が小さくなるように設けられ、
前記有機化合物層は、前記第１の副画素、前記第２の副画素および前記第３の副画素の前記下部電極を覆うと共に前記絶縁部材の前記第１部分および前記第２部分を覆うように、前記基板上面に沿って延設されている
ことを特徴とする表示装置。
【請求項１４】
前記有機化合物層は、複数の層が積層されて成り、
前記複数の層のうちの下層側の少なくとも一部は、前記第１の副画素の前記下部電極と前記第３の副画素の前記下部電極との間において、薄膜化され又は分断されている
ことを特徴とする請求項１２または請求項１３に記載の表示装置。
【請求項１５】
前記下層側の少なくとも一部は、正孔注入層、正孔輸送層および電子阻止層の少なくとも１つを含む
ことを特徴とする請求項１４に記載の表示装置。
【請求項１６】
前記下層側の少なくとも一部は、電子注入層、電子輸送層および正孔阻止層の少なくとも１つを含む
ことを特徴とする請求項１４に記載の表示装置。
【請求項１７】
前記第１の副画素は、青色光を発生可能に構成され、
前記第２の副画素は、緑色光を発生可能に構成され、
前記第３の副画素は、赤色光を発生可能に構成されている
ことを特徴とする請求項１から請求項１６のいずれか１項に記載の表示装置。
【請求項１８】
請求項１から請求項１７のいずれか１項に記載の表示装置を備える
ことを特徴とする電気装置。